(57)【要約】【課題】煩わしい操作を要求することなく登録対象の画像データに関連するタイトル名を登録し、目的の画像を容易に探し出す。【解決手段】視覚情報を撮像して画像データを出力するカメラ部１０５と、画像データを表示形式および保存形式に変換する画像データ処理部１０６と、画像データの輝度情報から一画素を二値で表すデータに画像データを変換し、文字認識パターンと照合して文字列を抽出する画像データ文字列変換処理部１０７と、文字列をタイトル名として登録すると共に画像データも登録するメモリ部１０４と、タイトル名をリストにして表示し、リストで選択されたタイトル名に関連する画像データを検索して表示するなどの様々の制御を行う制御部１０３と、を備える。【選択図】      図１
2004336286.tif 000002
【特許請求の範囲】
【請求項１】
視覚情報を取り込んで画像データを出力する撮像手段と、
前記画像データから文字列を抽出する画像データ文字列変換処理手段と、
前記文字列を前記画像データのタイトル名とし、前記画像データと共に登録する登録手段と、
登録された前記タイトル名をリストにして表示し、前記リストで選択された前記タイトル名に関連する前記画像データを検索して表示する検索表示手段と、を備えることを特徴とするカメラ付き携帯電話装置。
【請求項２】
視覚情報を撮像して画像データを出力する撮像手段と、
前記画像データを表示形式および保存形式に変換する画像データ処理手段と、前記画像データの輝度情報から一画素を二値で表すデータに前記画像データを変換し、文字認識パターンと照合して文字列を抽出する画像データ文字列変換処理手段と、
前記文字列を前記画像データのタイトル名として登録すると共に前記画像データも登録する登録手段と、
前記タイトル名をリストにして表示し、前記リストで選択された前記タイトル名に関連する前記画像データを検索して表示する検索表示手段と、を備えることを特徴とするカメラ付き携帯電話装置。
【請求項３】
前記登録手段が、
前記画像データから最初に抽出した前記文字列を前記タイトル名として登録すると共に前記画像データも登録することを特徴とする請求項１または２に記載のカメラ付き携帯電話装置。
【請求項４】
前記登録手段が、
前記画像データから抽出され順次表示された前記文字列のうちで選択された前記文字列を前記タイトル名として登録すると共に前記画像データも登録することを特徴とする請求項１または２に記載のカメラ付き携帯電話装置。
【請求項５】
前記視覚情報が、
文字情報を有する被写体を含むことを特徴とする請求項１または２に記載のカメラ付き携帯電話装置。
【請求項６】
前記タイトル名が、
上位のタイトル名を含んで階層的に表示されることを特徴とする請求項１または２に記載のカメラ付き携帯電話装置。
【請求項７】
前記タイトル名が、
前記タイトル名を識別する識別文字を含んで構成されることを特徴とする請求項１または２に記載のカメラ付き携帯電話装置。
【請求項８】
前記タイトル名が、
前記タイトル名を識別する識別記号を含んで構成されることを特徴とする請求項１または２に記載のカメラ付き携帯電話装置。
【請求項９】
前記タイトル名に、撮像した日時を関連付けて登録することを特徴とする請求項１または２に記載のカメラ付き携帯電話装置。
【請求項１０】
視覚情報を取り込んで画像データを出力する視覚情報取得ステップと、
前記画像データから文字列を抽出する文字列抽出ステップと、
前記文字列を前記画像データのタイトル名とし、前記文字列が抽出された前記画像データと共に登録する登録ステップと、
登録された前記タイトル名をリストにして表示し、選択された前記タイトル名に関連する前記画像データを検索して表示する検索ステップと、
を備えることを特徴とするカメラ付き携帯電話装置のタイトル抽出処理方法。
【請求項１１】
視覚情報を撮像し画像データを出力するカメラ部と、前記画像データおよび前記画像データに関連するタイトル名を登録するメモリ部と、を含むカメラ付き携帯電話装置のタイトル抽出処理方法であって、
前記カメラ部が出力した前記画像データから文字列を抽出するステップと、
最初に抽出した前記文字列を前記タイトル名として前記画像データに関連付けて前記メモリ部に登録すると共に、前記画像データも前記メモリ部に登録するステップと、
前記メモリ部への登録が完了したことを表示するステップと、を備えることを特徴とするカメラ付き携帯電話装置のタイトル抽出処理方法。
【請求項１２】
視覚情報を撮像し画像データを出力するカメラ部と、前記画像データを登録し、前記画像データに関連するタイトル名を登録するメモリ部と、を含むカメラ付き携帯電話装置のタイトル抽出処理方法であって、
前記カメラ部が出力した前記画像データから抽出した文字列をタイトル名の候補とするタイトル名候補テーブルを作成し、前記メモリ部に格納するステップと、
前記タイトル名候補テーブルにある前記タイトル名の候補を順次表示するステップと、
順次表示された前記タイトル名の候補を前記タイトル名として前記画像データに関連付けて前記メモリ部に登録すると共に前記画像データも前記メモリ部に登録するステップと、
前記メモリ部への登録が完了したことを表示するステップと、を備えることを特徴とするカメラ付き携帯電話装置のタイトル抽出処理方法。
【請求項１３】
視覚情報を撮像し画像データを出力するカメラ部と、前記画像データおよび前記画像データに関連するタイトル名を登録するメモリ部と、を含むカメラ付き携帯電話装置のタイトル抽出処理方法であって、
前記カメラ部が出力した前記画像データから文字列を抽出するステップと、
最初に抽出した前記文字列を前記タイトル名として前記画像データに関連付けて前記メモリ部に登録すると共に前記画像データも前記メモリ部に登録するステップと、
前記メモリ部への登録が完了したことを表示するステップと、
画像検索操作あるいは画像参照操作を検出し前記メモリ部を検索するステップと、
登録した前記タイトル名をリストにしてタイトル名リストとして表示するステップと、
前記タイトル名リストの中から検索あるいは参照する前記タイトル名を選択するステップと、
前記タイトル名が選択されたことを検出し、選択された前記タイトル名に関連付けされた前記画像データを前記メモリ部から検索して表示するステップと、を備えることを特徴とするカメラ付き携帯電話装置のタイトル抽出処理方法。
【請求項１４】
視覚情報を撮像し画像データを出力するカメラ部と、前記画像データを登録し、前記画像データに関連するタイトル名を登録するメモリ部と、を含むカメラ付き携帯電話装置のタイトル抽出処理方法であって、
前記カメラ部が出力した前記画像データから抽出した文字列をタイトル名の候補とするタイトル名候補テーブルを作成し、前記メモリ部に格納するステップと、
前記タイトル名候補テーブルにある前記タイトル名の候補を順次表示するステップと、
前記表示された前記タイトル名の候補を前記タイトル名として前記画像データに関連付けて前記メモリ部に登録すると共に前記画像データも前記メモリ部に登録するステップと、
前記メモリ部への登録が完了したことを表示するステップと、
画像検索操作あるいは画像参照操作を検出し、前記メモリ部を検索するステップと、
登録した前記タイトル名をリストにしてタイトル名リストとして表示するステップと、
前記タイトル名リストの中から検索あるいは参照する前記タイトル名を選択するステップと、
前記タイトル名が選択されたことを検出し、選択された前記タイトル名に関連付けされた前記画像データを前記メモリ部から検索して表示するステップと、
を備えることを特徴とするカメラ付き携帯電話装置のタイトル抽出処理方法。
【請求項１５】
前記視覚情報が、
文字情報を有する被写体を含むことを特徴とする請求項１０から１４のいずれかに記載のカメラ付き携帯電話装置のタイトル抽出処理方法。
【請求項１６】
前記タイトル名が、
階層的に表示されることを特徴とする請求項１０から１４のいずれかに記載のカメラ付き携帯電話装置のタイトル抽出処理方法。
【請求項１７】
前記タイトル名に、撮像した日時を関連付けて登録することを特徴とする請求項１０から１４のいずれかに記載のカメラ付き携帯電話装置のタイトル抽出処理方法。
【請求項１８】
前記タイトル名が、
前記タイトル名を識別する識別文字を含んで構成されることを特徴とする請求項１０から１４のいずれかに記載のカメラ付き携帯電話装置のタイトル抽出処理方法。
【請求項１９】
前記タイトル名が、
前記タイトル名を識別する識別記号を含んで構成されることを特徴とする請求項１０から１４のいずれかに記載のカメラ付き携帯電話装置のタイトル抽出処理方法。
【請求項２０】
前記タイトル名が、
ドメイン名の一部分を含んで構成されることを特徴とする請求項１０から１４のいずれかに記載のカメラ付き携帯電話装置のタイトル抽出処理方法。
【発明の詳細な説明】
【０００１】
【発明の属する技術分野】
本発明は、カメラ付き携帯電話装置に関し、特にカメラで取り込んだ画像データの文字を認識してタイトルを抽出するカメラ付き携帯電話装置およびそのタイトル抽出処理方法に関する。
【０００２】
【従来の技術】
カメラ付き携帯電話装置において、撮像画像の登録数は、カメラ付き携帯電話装置に搭載するメモリ容量の増加並びに外部ストレージ（例えば、ＳＤ（Ｓｅｃｕｒｅ  Ｄｉｇｉｔａｌ）カード等）の採用により膨大になりつつある。一方で、人物や風景のほかに名刺や雑誌の情報をメモ代わりに撮影しカメラ付き携帯電話装置内で表示部に表示する用途のほか、カメラ付き携帯電話装置に具備された無線装置を介して行うデータ送受信の機能により、カメラ付き携帯電話装置内に登録済みの画像データを送受信データに添付してやり取りすることで、第三者との間で共有できることがカメラ付き携帯電話装置の最大の特徴となっている。
【０００３】
また、カメラ付き携帯電話装置において、メモリ部に登録した画像を表示部で確認するためには、画像の一覧をタイトル名で表示部に表示し、使用者のキー操作により目的の画像のタイトル名を見つけ出して選択する必要があるが、撮像画像データを登録する際には、画像のタイトル名はカメラ付き携帯電話装置内の一定の規則により自動的に割り付けられるのが一般的である。規則の一例として一般的な手法には、日時（年月日時分秒等）とシリアルナンバー（一連番号）の組み合わせによるタイトルがある。
【０００４】
さらに、カメラ付き携帯電話装置におけるタイトル情報は、使用者が画像登録後にキー操作によって文字入力することで編集可能になっている。
【０００５】
特開２００２−３５２１９０号公報には、搭載されたカメラで取得した文字が含まれている画像データをサーバに送信し、このサーバで画像データから生成したテキストデータを受信する携帯端末装置が記載されている。
【０００６】
【特許文献１】
特開２００２−３５２１９０号公報（特許請求の範囲、図１）
【０００７】
【発明が解決しようとする課題】
しかしながら、登録済みの画像データを送受信データに添付してやり取りする場合、カメラ付き携帯電話装置内に閉じた使用方法以上に登録後の画像の検索・参照が頻繁に行われ、容易に目的の画像を探し出せることが望まれていた。
【０００８】
また、画像のタイトル名が一定の規則により自動的に割り付けられる場合、登録画像数が多くなるほどタイトル情報から画像の内容を推測するのが困難であり、画像を確認する上で使用者のキー操作を増やす要因となっていた。
【０００９】
さらに、使用者が画像データの登録後にキー操作によってタイトル情報を文字入力する場合、操作手順が煩わしく、膨大な画像データの全てにキー入力にて変更を行う使用者は稀であった。
【００１０】
本発明は、煩わしい操作を要求することなく登録対象の画像データに関連する適切なタイトル名を抽出して登録し、検索や参照の場面では目的の画像を容易に探し出せるようにすることを目的とする。
【００１１】
【課題を解決するための手段】
本発明のカメラ付き携帯電話装置は、視覚情報を取り込んで画像データを出力する撮像手段と、前記画像データから文字列を抽出する画像データ文字列変換処理手段と、前記文字列を前記画像データのタイトル名とし、前記画像データと共に登録する登録手段と、登録された前記タイトル名をリストにして表示し、前記リストで選択された前記タイトル名に関連する前記画像データを検索して表示する検索表示手段と、を備えることを特徴とする。
【００１２】
本発明のカメラ付き携帯電話装置は、視覚情報を撮像して画像データを出力する撮像手段と、前記画像データを表示形式および保存形式に変換する画像データ処理手段と、前記画像データの輝度情報から一画素を二値で表すデータに前記画像データを変換し、文字認識パターンと照合して文字列を抽出する画像データ文字列変換処理手段と、前記文字列を前記画像データのタイトル名として登録すると共に前記画像データも登録する登録手段と、前記タイトル名をリストにして表示し、前記リストで選択された前記タイトル名に関連する前記画像データを検索して表示する検索表示手段と、を備えることを特徴とする。
【００１３】
本発明のカメラ付き携帯電話装置は、前記登録手段が、前記画像データから最初に抽出した前記文字列を前記タイトル名として登録すると共に前記画像データも登録することを特徴とする。
【００１４】
本発明のカメラ付き携帯電話装置は、前記登録手段が、前記画像データから抽出され順次表示された前記文字列のうちで選択された前記文字列を前記タイトル名として登録すると共に前記画像データも登録することを特徴とする。
【００１５】
本発明のカメラ付き携帯電話装置は、前記視覚情報が、文字情報を有する被写体を含むことを特徴とする。
【００１６】
本発明のカメラ付き携帯電話装置は、前記タイトル名が、上位のタイトル名を含んで階層的に表示されることを特徴とする。
【００１７】
本発明のカメラ付き携帯電話装置は、前記タイトル名が、前記タイトル名を識別する識別文字を含んで構成されることを特徴とする。
【００１８】
本発明のカメラ付き携帯電話装置は、前記タイトル名が、前記タイトル名を識別する識別記号を含んで構成されることを特徴とする。
【００１９】
本発明のカメラ付き携帯電話装置は、前記タイトル名に、撮像した日時を関連付けて登録することを特徴とする。
【００２０】
本発明のカメラ付き携帯電話装置のタイトル抽出処理方法は、視覚情報を取り込んで画像データを出力する視覚情報取得ステップと、前記画像データから文字列を抽出する文字列抽出ステップと、前記文字列を前記画像データのタイトル名とし、前記文字列が抽出された前記画像データと共に登録する登録ステップと、登録された前記タイトル名をリストにして表示し、選択された前記タイトル名に関連する前記画像データを検索して表示する検索ステップと、を備えることを特徴とする。
【００２１】
本発明のカメラ付き携帯電話装置のタイトル抽出処理方法は、視覚情報を撮像し画像データを出力するカメラ部と、前記画像データおよび前記画像データに関連するタイトル名を登録するメモリ部と、を含むカメラ付き携帯電話装置のタイトル抽出処理方法であって、前記カメラ部が出力した前記画像データから文字列を抽出するステップと、最初に抽出した前記文字列を前記タイトル名として前記画像データに関連付けて前記メモリ部に登録すると共に、前記画像データも前記メモリ部に登録するステップと、前記メモリ部への登録が完了したことを表示するステップと、を備えることを特徴とする。
【００２２】
本発明のカメラ付き携帯電話装置のタイトル抽出処理方法は、視覚情報を撮像し画像データを出力するカメラ部と、前記画像データを登録し、前記画像データに関連するタイトル名を登録するメモリ部と、を含むカメラ付き携帯電話装置のタイトル抽出処理方法であって、前記カメラ部が出力した前記画像データから抽出した文字列をタイトル名の候補とするタイトル名候補テーブルを作成し、前記メモリ部に格納するステップと、前記タイトル名候補テーブルにある前記タイトル名の候補を順次表示するステップと、順次表示された前記タイトル名の候補を前記タイトル名として前記画像データに関連付けて前記メモリ部に登録すると共に前記画像データも前記メモリ部に登録するステップと、前記メモリ部への登録が完了したことを表示するステップと、を備えることを特徴とする。
【００２３】
本発明のカメラ付き携帯電話装置のタイトル抽出処理方法は、視覚情報を撮像し画像データを出力するカメラ部と、前記画像データおよび前記画像データに関連するタイトル名を登録するメモリ部と、を含むカメラ付き携帯電話装置のタイトル抽出処理方法であって、前記カメラ部が出力した前記画像データから文字列を抽出するステップと、最初に抽出した前記文字列を前記タイトル名として前記画像データに関連付けて前記メモリ部に登録すると共に前記画像データも前記メモリ部に登録するステップと、前記メモリ部への登録が完了したことを表示するステップと、画像検索操作あるいは画像参照操作を検出し前記メモリ部を検索するステップと、登録した前記タイトル名をリストにしてタイトル名リストとして表示するステップと、前記タイトル名リストの中から検索あるいは参照する前記タイトル名を選択するステップと、前記タイトル名が選択されたことを検出し、選択された前記タイトル名に関連付けされた前記画像データを前記メモリ部から検索して表示するステップと、を備えることを特徴とする。
【００２４】
本発明のカメラ付き携帯電話装置のタイトル抽出処理方法は、視覚情報を撮像し画像データを出力するカメラ部と、前記画像データを登録し、前記画像データに関連するタイトル名を登録するメモリ部と、を含むカメラ付き携帯電話装置のタイトル抽出処理方法であって、前記カメラ部が出力した前記画像データから抽出した文字列をタイトル名の候補とするタイトル名候補テーブルを作成し、前記メモリ部に格納するステップと、前記タイトル名候補テーブルにある前記タイトル名の候補を順次表示するステップと、前記表示された前記タイトル名の候補を前記タイトル名として前記画像データに関連付けて前記メモリ部に登録すると共に前記画像データも前記メモリ部に登録するステップと、前記メモリ部への登録が完了したことを表示するステップと、画像検索操作あるいは画像参照操作を検出し、前記メモリ部を検索するステップと、登録した前記タイトル名をリストにしてタイトル名リストとして表示するステップと、前記タイトル名リストの中から検索あるいは参照する前記タイトル名を選択するステップと、前記タイトル名が選択されたことを検出し、選択された前記タイトル名に関連付けされた前記画像データを前記メモリ部から検索して表示するステップと、を備えることを特徴とする。
【００２５】
本発明のカメラ付き携帯電話装置のタイトル抽出処理方法は、前記視覚情報が、文字情報を有する被写体を含むことを特徴とする。
【００２６】
本発明のカメラ付き携帯電話装置のタイトル抽出処理方法は、前記タイトル名が、階層的に表示されることを特徴とする。
【００２７】
本発明のカメラ付き携帯電話装置のタイトル抽出処理方法は、前記タイトル名に、撮像した日時を関連付けて登録することを特徴とする。
【００２８】
本発明のカメラ付き携帯電話装置のタイトル抽出処理方法は、前記タイトル名が、前記タイトル名を識別する識別文字を含んで構成されることを特徴とする。
【００２９】
本発明のカメラ付き携帯電話装置のタイトル抽出処理方法は、前記タイトル名が、前記タイトル名を識別する識別記号を含んで構成されることを特徴とする。
【００３０】
本発明のカメラ付き携帯電話装置のタイトル抽出処理方法は、前記タイトル名が、ドメイン名の一部分を含んで構成されることを特徴とする。
【００３１】
【発明の実施の形態】
次に、本発明の実施の形態について図面を参照して詳細に説明する。
【００３２】
＜第１の実施形態＞  図１は、本発明のカメラ付き携帯電話装置のブロック図である。
【００３３】
カメラ付き携帯電話装置は、アンテナ１０１と無線部１０２と制御部１０３とメモリ部１０４とカメラ部１０５と画像データ処理部１０６と画像データ文字列変換処理部１０７と操作部１０８と表示部１０９と音声コーデック部１１０とスピーカ１１１とマイクユニット１１２で構成される。
【００３４】
カメラ付き携帯電話装置は、制御部１０３の制御により無線部１０２、アンテナ１０１を介して図示しない基地局と通信を行う。無線部１０２は、アンテナ１０１にて受信した信号を、受信したい信号周波数を選択し周波数変換を行い増幅し、復調して、受信データを制御部１０３に出力する。制御部１０３は、受信データを処理して音声信号を音声コーデック部１１０に出力し、音声コーデック部１１０は、音声信号をアナログ信号に変えてスピーカ１１１より音声を出力する。また、マイク１１２より入力された音声は、音声コーデック部１１０にてＰＣＭ信号にＡ／Ｄ変換され、制御部１０３は、そのＰＣＭ信号を送信データに処理し、無線部１０２にて変調し、規定の周波数の搬送波として増幅し、アンテナ１０１より送信する。
【００３５】
制御部１０３は、画像データ処理部１０６の制御及び出力される画像データの登録などの処理、画像データ文字列変換処理部１０７の制御及び出力される文字列変換結果の処理、メモリ部１０４への情報の書込み・読出し、カメラ部１０５の起動制御、表示部１０９の表示制御、操作部１０８の操作検出処理を行う（登録手段、検索表示手段）。
【００３６】
メモリ部１０４は、画像データを登録するためのメモリ領域１０４Ａと画像データに関連するタイトル名などの情報を登録するためのメモリ領域１０４Ｂとを含む。
【００３７】
カメラ部１０５は、名刺、駅舎の時刻表、案内標識、観光標識、説明板、記念碑などのような文字情報を有する視覚情報（被写体）を撮像し、視覚情報の画像データを画像データ処理部１０６へ出力する（撮像手段）。
【００３８】
画像データ処理部１０６は、カメラ部１０５から出力される視覚情報の画像を制御部１０３の制御により表示部１０９への表示形式、メモリ領域１０４Ａへの保存形式に変換する。制御部１０３は、操作部１０８からの操作情報に応じて画像データ処理部１０６の動作を制御する。
【００３９】
画像データ文字列変換処理部１０７は、制御部１０３の制御により、カメラ部１０５から出力される視覚情報の画像データの輝度情報から一画素を二値で表す画像データに変換し、その画像データをメモリ部１０４に記憶している文字認識パターンと照合することにより文字列を抽出し、抽出した文字列を制御部１０３に通知する。制御部１０３は、その文字列をメモリ領域１０４Ｂに格納（登録）する。
【００４０】
次に、本発明の実施の形態の動作について図１を参照して説明する。カメラ部１０５の撮像時、操作者は操作部１０８によりカメラ部１０５を起動し、表示部１０９に視覚情報をリアルタイムで表示する、いわゆるプレビュー状態にする。
このプレビュー状態において操作者は、撮影したい構図を確認したうえで操作部１０８に割り当てられた、いわゆるシャッタボタンを押下することで目的の視覚情報の撮像を実行する。カメラ付き携帯電話装置はこの後、撮像した画像データをメモリ部１０４に登録する動作に移るが、シャッタボタン押下と同時に登録動作に移行する場合や、シャッタ押下後登録対象の視覚情報を静止状態で表示部１０９に表示して、操作部１０８からの登録操作を制御部１０３が検出して登録動作に移行する場合がある。本発明は撮像した画像の登録動作を示すため、操作者が登録に相当する操作を実施した以降の動作について説明する。
【００４１】
本発明の一実施例の動作について、図１、図２と図４のフローチャート、図３の画像データを用いて説明する。
【００４２】
図２は、操作者が撮像した画像データを登録する場合のフローチャートである。操作者は、操作部１０８のキーを操作し、撮影画像処理選択のうち画像データの登録を選択する（Ｓ２０１）。制御部１０３は、画像データ処理部１０６に対して画像データをメモリ領域１０４Ａへの保存形式に変換するよう制御する（Ｓ２０２）。その後、制御部１０３は、画像データ文字列変換処理部１０７でカメラ部１０５から出力された画像データの中で最初に文字として認識（抽出）した文字列を制御部１０３に通知するよう制御する（Ｓ２０３）。文字列があるか否か（認識できたか否か）を判断し文字列がある場合（Ｓ２０４のＹＥＳ）は、制御部１０３はＳ２０３で最初に認識した文字列を表示部１０９に表示し（Ｓ２０５）、取得した画像データのタイトル名として適しているかどうかの決定を操作者に促す（Ｓ２０６）。Ｓ２０６において表示されたタイトル名で良いと操作者が判断した場合、制御部１０３（登録手段としての機能）は、認識した文字列をタイトル名として画像データと関連付けし、その関連付けした情報と画像データのタイトル名とをメモリ領域１０４Ｂに登録すると共に、画像データをメモリ領域１０４Ａに登録する（Ｓ２０８）。
【００４３】
画像データと関連付けされた文字列のタイトル名との登録が完了した時点で表示部１０９にその旨を操作者に通知する表示を行う（Ｓ２０９）。
【００４４】
操作者がＳ２０６でタイトル名の変更を希望した場合（Ｓ２０６のＮＯ）は、制御部１０３は代替となるタイトル文字を入力するよう操作者に促す（Ｓ２０７）。また、Ｓ２０４で文字列を認識できなかった場合（Ｓ２０４のＮＯ）も同様に代替となるタイトル文字を入力するよう操作者に促す（Ｓ２０７）。
【００４５】
次に、図３に示す画像データを参照してタイトル名に関して具体的に説明する。図２のフローチャートによって名刺を撮像し、画像データが図３となった場合、画像データのタイトル名は最初に現れる文字列である「×××株式会社」となる。
【００４６】
図４は、図２のフローチャートで登録した画像を操作者が検索あるいは参照する場合のフローチャートである。制御部１０３は、操作部１０８を監視し操作者による画像検索操作あるいは画像参照操作を検出すると（Ｓ４０１）、メモリ領域１０４Ｂを検索し（Ｓ４０２）、Ｓ２０８で保存（登録）した画像データのタイトル名をリスト化して、タイトル名リストとして表示部１０９に一覧を表示する（Ｓ４０３）。操作者は、操作部１０８のキーを操作し、画像データ登録時のタイトル名を基に、表示部１０９のタイトル名リストの中から検索あるいは参照したい画像データのタイトル名を選択する（Ｓ４０４）。制御部１０３は、操作部１０８を監視しタイトル名リストから特定の情報が選択されたことを検出すると、メモリ領域１０４Ａから、選択された情報（タイトル名を含む）に関連付けされた画像データを検索し（Ｓ４０５）、登録してある画像データを表示部１０９に表示する（Ｓ４０６）。
【００４７】
＜第２の実施形態＞第１の実施形態では、図２、図３に示したように画像データに含まれる文字列のうちで最初に認識（抽出）した文字列を画像データのタイトル名とした。この第２の実施形態では、画像データにおいて認識（抽出）できた文字列すべてをタイトル名の候補として選択可能としている。
【００４８】
図５は、第２の実施形態における、操作者が撮像した画像データを登録する場合のフローチャートである。図６は、第２の実施形態における、画像データである。以下、図１、図５および図６を参照して第２の実施形態を説明する。
【００４９】
図２と同様に操作者は、操作部１０８のキーを操作し画像データの登録を選択する（Ｓ５０１）。制御部１０３は、画像データ処理部１０６に対して画像データをメモリ領域１０４Ａへの保存形式に変換するよう制御する（Ｓ５０２）。画像データ文字列変換処理部１０７にて認識できた文字列をタイトル名とする際に、認識できた文字列すべてをタイトル名の候補とするデータ数Ｎ（Ｎは正の整数）のタイトル名候補テーブルを作成し、メモリ部１０４に格納する（Ｓ５０３）。
【００５０】
文字列があるか否か（認識できたか否か）を判断し文字列がある場合（Ｓ５０４のＹＥＳ）は、制御部１０３はＳ５０３で認識した文字列（タイトル名の候補）を順次、表示部１０９に表示し（Ｓ５０５、Ｓ５０６、Ｓ５０７、Ｓ５０９）、取得した画像データのタイトル名として適しているかどうかの決定を操作者に促す（Ｓ５１０）。Ｓ５１０がＮＯの場合には、表示するタイトル名候補の数は、最大でＮ（ｉ＝１〜Ｎでｉは正の整数）まで可能である。
【００５１】
Ｓ５０９におけるタイトル名候補の表示として、タイトル名候補を順次１つずつ表示する方法（逐次表示）と、タイトル名候補を順次１つずつ累積させながら表示する方法（累積表示）とがある。累積表示の場合は、累積が完了すると、図６（ｂ）に示すタイトル名候補テーブルのようになり、タイトル名候補となる全部の文字列を概観して選択できるのでさらに便利である。
【００５２】
Ｓ５１０において表示されたタイトル名で良いと操作者が判断した場合（Ｓ５１０のＹＥＳ）、制御部１０３は、認識した文字列（タイトル名候補）をタイトル名として画像データと関連付けし、その関連付けした情報と画像データのタイトル名とをメモリ領域１０４Ｂに登録すると共に、画像データをメモリ領域１０４Ａに登録する（Ｓ５１１）。画像データと関連付けされた文字列のタイトル名との登録が完了した時点で表示部１０９にその旨を操作者に通知する表示を行う（Ｓ５１２）。
【００５３】
操作者が画像データから抽出したタイトル名の変更を希望した場合（Ｓ５０７のＮＯ）は、制御部１０３は代替となる代替タイトル文字を入力するよう操作者に促す（Ｓ５０８）。また、Ｓ５０４で文字列を認識できなかった場合（Ｓ５０４のＮＯ）も同様に代替となる代替タイトル文字を入力するよう操作者に促す（Ｓ５０８）。
【００５４】
次に、図６（ａ）に示す画像データ、図６（ｂ）に示すタイトル名候補テーブルを参照して具体的に説明する。図５のフローチャートによって名刺を撮像し画像データが図６（ａ）となった場合、作成したデータ数Ｎ（この場合は、Ｎ＝８）のタイトル名候補テーブル（タイトル名の候補）は図６（ｂ）のようになる。この第２の実施形態を適用することで、画像データのタイトル名の選択肢を増やすことができ機能面を向上させることができる。
【００５５】
この第２の実施形態において登録した画像の検索あるいは参照は、図４に示した第１の実施形態のフローチャートと同一である。
【００５６】
＜第３の実施形態＞この第３の実施形態は、  第１の実施形態や第２の実施形態において抽出したタイトル名に上位タイトル名などを設定して登録するもので、検索や参照がさらに容易になる。なお、タイトル名に、上位タイトル名、上位タイトル記号、識別文字、識別記号を含めることもある。
【００５７】
制御部１０３は抽出したタイトル名に上位タイトル名などを設定して階層的（すなわち、上位階層が上位タイトル名、下位階層がタイトル名）に登録する。例えば、制御部１０３は、タイトル名に会社、県、銀行などの文字列が含まれる場合、上位タイトル名として「機関」（識別文字）を設定して登録する。また、○○花子のように名字○○などの文字列が含む場合、上位タイトル名として「名前」（識別文字）を設定して登録する。また、上位タイトル名として絵文字（識別文字）を使用して、タイトル名を構成してもよい。
【００５８】
図７は、上位タイトル名／タイトル名テーブルである。従って、制御部１０３は、タイトル名が×××株式会社の場合は上位タイトル名を機関とし、タイトル名が○○花子の場合は上位タイトル名を氏名とする。このようにすることで検索や参照がさらに容易になる。さらに、撮像や登録の日時（年月日時分秒等）と関連付けて登録するとより一層検索や参照が容易になる。
【００５９】
図８は、上位タイトル記号／タイトル名テーブルである。上位タイトル名に代えて地図記号（識別記号）を上位タイトル記号としている。制御部１０３は、タイトル名が×××株式会社や△△市役所の場合は上位タイトル記号として地図記号の「◎」（識別記号）を使用し、××遺跡や△△古戦場の場合も同様である。このようにすることで視覚的に認識し易くなり、検索や参照がさらに容易になる。
【００６０】
上位タイトル記号として、ドメイン名の「．ｃｏｍ」のような組織属性（組織種別、属性レベル）などを使用（ドメイン名の一部分を使用する）してもよいことはいうまでもない。
【００６１】
制御部１０３は、認識した文字列をタイトル名とし、このタイトル名をメモリ部１０４に記憶している識別文字や識別記号と照合し、上位タイトル名や上位タイトル記号として図７や図８のように関連付ける。
【００６２】
【発明の効果】
カメラ付き携帯電話装置において、撮影した画像の登録処理中に、画像データ文字列変換処理を使用して画像に関連する文字情報を得ることで、操作者に煩わしい操作を要求せずに、登録対象の画像に関連したタイトル名を登録できるという効果がある。
【００６３】
また、画像データとともに取得した文字列からタイトル名の候補となるタイトル名候補テーブルを生成することにより、カメラ付き携帯電話装置の表示部においてタイトル名の一覧の中から画像を検索して表示するような場合、大量に登録した画像の中で、参照したい画像をタイトル情報から容易にイメージでき、ユーザのストレスなく目的の画像を探し出せるという効果がある。
【００６４】
さらに、タイトル名を識別する識別文字や識別記号を上位タイトル名／上位タイトル記号として登録するので、カメラ付き携帯電話装置の表示部においてタイトル名の一覧の中から画像を検索して表示するような場合、参照したい画像をタイトル情報から容易にイメージでき、目的の画像を探し出せるという効果がある。
【００６５】
さらに、撮像した画像データから文字列を抽出して登録することを、カメラ付き携帯電話装置の内部で行っており、通信回線を経由して画像データをサーバなどの文字列抽出装置へ送信する必要がないので、回線品質、トラヒックなどに影響されないという効果がある。
【図面の簡単な説明】
【図１】本発明のカメラ付き携帯電話装置のブロック図である。
【図２】第１の実施形態における、操作者が画像データを登録する場合のフローチャートである。
【図３】第１の実施形態における、画像データである。
【図４】第１の実施形態における、登録した画像を操作者が検索あるいは参照する場合のフローチャートである。
【図５】第２の実施形態における、操作者が画像データを登録する場合のフローチャートである。
【図６】第２の実施形態における、画像データ（ａ）、タイトル名候補テーブル（ｂ）である。
【図７】第３の実施形態における、上位タイトル名／タイトル名テーブルである。
【図８】第３の実施形態における、上位タイトル記号／タイトル名テーブルである。
【符号の説明】
１０１    アンテナ
１０２    無線部
１０３    制御部
１０４    メモリ部
１０４Ａ    メモリ領域
１０４Ｂ    メモリ領域
１０５    カメラ部
１０６    画像データ処理部
１０７    画像データ文字列変換処理部
１０８    操作部
１０９    表示部
１１０    音声コーデック部
１１１    スピーカ
１１２    マイク
【図１】
2004336286.tif 000003
【図２】
2004336286.tif 000004
【図３】
2004336286.tif 000005
【図４】
2004336286.tif 000006
【図５】
2004336286.tif 000007
【図６】
2004336286.tif 000008
【図７】
2004336286.tif 000009
【図８】
2004336286.tif 000010